(57)【要約】      （修正有）【課題】認証等の目的で貼り付けて用いられるステッカー、例えば、偽物との識別性を求められる状況下にある商品やそれを収納している段ボール箱やパッケージ等に貼って用いられる認証用ステッカー等であって、特に、不正を企む者が剥がそうとしたときにその痕跡が残って貼り替えが困難となるようにし、しかもその痕跡が容易に判別できるようにしたステッカーの提供。【解決手段】周縁部はその少なくとも一部が鋸刃状の形状となるようにし、且つ、その鋸刃状の形状とした周縁部における個々の刃に挟まれている谷の部分からは内方に向かって一つ以上の切り込み２をそれぞれ形成する。【選択図】図１
2004317692.tif 000002
【特許請求の範囲】
【請求項１】
周縁部はその少なくとも一部が鋸刃状の形状をなしており、且つ、その鋸刃状の部分の個々の刃に挟まれている谷の部分からは内方に向かって一つ以上の切り込みがそれぞれ形成されていることを特徴とする貼り替え防止ステッカー。
【請求項２】
請求項１に記載の貼り替え防止ステッカーを物品に貼り付け、該ステッカーに対してそれを剥離する向きに力を加えると、前記切り込みの少なくとも一つを起点として破断が起きるようにしたことを特徴とする貼り替え防止ステッカーを用いた貼り替え防止方法。
【発明の詳細な説明】
【０００１】
【発明の属する技術分野】
本発明は、認証に際して貼り付けて用いられるステッカーや、段ボールやパッケージ類に貼り付けて用いられるステッカー等として好適に用いられるステッカー、特に、貼り付けた後には痕跡を残すことなく貼り替えることを困難とした、貼り替え防止ステッカーとそれを用いた貼り替え防止方法に関する。
【０００２】
【従来の技術】
従来より、商品の値引き表示ステッカーや、スーパー等で大型商品に貼って清算済みであることを示すステッカー等には、貼り替え防止のための切り込みが形成されているものがある。このようなステッカーは、一旦貼り付けた後に剥がすと、切り込みに沿って裂け易くなっている。
【０００３】
また、従来のステッカーの他の例としては、特許文献１に示すように、その周縁部を凹凸状にしたり鋸刃状にしたものも知られている。
このような従来のステッカーにおいては、それを剥がそうとした場合、その一部が伸びてしまって元の状態に戻り難くなり、この時の伸びが一種の痕跡となり、剥がそうとしたことの判別が一応はつけられるようになっている。しかし、このような痕跡はどちらかといえば判別し難いものであった。
【０００４】
これに対し、剥がそうとしたことがこれよりももっと判り易いようにする方策としては、例えば、剥がそうとした時にはステッカーが「破断」してしまうようにすることが考えられる。しかし、残念ながら、従来のステッカーでは一旦貼ったものを剥がそうとした時、破断が確実に生じ、しかも剥がそうとした痕跡が容易に判別できるようにすることは難しかった。
【０００５】
【特許文献１】
特開平１１−２７７９３８号公報（段落番号００１８参照）
【０００６】
【発明が解決しようとする課題】
本発明は、かかる従来技術の問題点に鑑みてなされたものであって、その課題とするところは、認証等の目的で貼り付けて用いられるステッカー、例えば、偽物との識別性を求められる状況下にある商品やそれを収納している段ボール箱やパッケージ等に貼って用いられる認証用のステッカー等に好適に用いられるステッカーであって、特に、一旦貼り付けたものを不正を企む者が剥がそうとした時に確実に破断が生じ、貼り替えが困難となるようにし、しかもその痕跡が容易に判別できるようにした、あるいは、たとえ貼り付けられている領域の（段ボールやパッケージ等）の基材と一緒に根こそぎ剥がされた場合においても、破断し易いようにし、剥がされたか、または剥がされそうになったことが容易に判明し、また、痕跡を残さないような貼り替え自体もさらに困難なものとするようにした、貼り替え防止ステッカーとそれを用いた貼り替え防止方法の提供を課題とする。
【０００７】
【課題を解決するための手段】
本発明は以上のような状況に鑑みなされたものであり、請求項１に記載の発明は、周縁部はその少なくとも一部が鋸刃状の形状をなしており、且つ、その鋸刃状の部分の個々の刃に挟まれている谷の部分からは内方に向かって一つ以上の切り込みがそれぞれ形成されていることを特徴とする貼り替え防止ステッカーである。
【０００８】
また、請求項２に記載の発明は、請求項１に記載の貼り替え防止ステッカーを物品に貼り付け、該ステッカーに対してそれを剥離する向きに力を加えると、前記切り込みの箇所の少なくとも一つを起点として破断が起きるようにしたことを特徴とする貼り替え防止ステッカーを用いた貼り替え防止方法である。
【０００９】
【発明の実施の形態】
以下、本発明の実施の形態について、図面を参照しつつ説明する。
図１は本発明の貼り替え防止ステッカーの一実施形態に係る概略の平面構成を示したものであり、図２は図１に示す貼り替え防止ステッカーの一周縁部における構成を拡大して示したものである。
また、図３は本発明の貼り替え防止ステッカーの他の実施形態に係る概略の平面構成を示したものであり、図４は図３に示す貼り替え防止ステッカーの一周縁部における構成を拡大して示したものである。
【００１０】
図１に示す貼り替え防止ステッカー１は、全ての周縁部が鋸刃状の形状をなしており、且つ、その鋸刃状の部分の個々の刃（山）３に挟まれている谷４の部分のそれぞれからは、内方に向かって一つの切り込み２がそれぞれ形成されている。
【００１１】
一方、図３に示す貼り替え防止ステッカー５は、全ての周縁部が鋸刃状の形状をなしており、且つ、その鋸刃状の部分の個々の刃（山）７に挟まれている谷８の部分のそれぞれからは、内方に向かって二つの切り込み６が、図４に示す如く、個々の刃の外形を構成する２辺のそれぞれを延長するようにそれぞれ形成されている。
【００１２】
周縁部の形状を鋸刃状としたのは、その部分の個々の刃に挟まれている谷の部分に、ステッカーを剥離しようとする時に加わる応力が集中し、谷の部分から内方に向かって形成してある切り込み付近から破断が確実に起きるようにするためである。従って、鋸刃状の形状をした部分の個々の刃の形状は図に示ような三角形状にものに限定されるものではなく、概ね鋸刃状の形状をしていればよい。
例えば、個々の刃の形状としては、四角形や五角形等の多角形に近い形であってもよい。また、個々の刃の外形を構成する辺も直線状以外の、円弧や楕円の円弧等の曲線状であってもよい。また、個々の刃は、図に示すように、同一形状のものが規則正しく配列されていてもよいが、種々の形状の刃が不規則に、あるいは規則的な配列と不規則な配列とが組み合わされていてもよい。
【００１３】
また、鋸刃状の形状をした部分は、図示のように、周縁部の全域に渡っていなくてもよく、少なくともその一部が鋸刃状の形状をなし、剥離時にこの部分から破断が確実に生じるようになっていればよい。
さらに、鋸刃状の形状となっている周縁部における個々の刃に挟まれている谷の部分から内方に向かって形成される切り込みは、図示のものに限定されるものではなく、少なくとも一つ以上形成されていればよく、またその形状も曲線状やＹ字状のもの等、適宜の形状のものが必要に応じて採用し得る。
【００１４】
以上のような構成になる本発明の貼り替え防止ステッカーは、偽物との識別性が強く求められる商品やそれを収納している段ボールやパッケージ等の物品に貼り付けておけば、もしも不正を企む者がこのステッカーを剥がそうとした時には、その痕跡がはっきりと残ってしまい、不正な剥離を行おうとしたことが判明し、さらには、たとえそのような仕組みに気付いた者であって、剥がそうとした時の破断を予知できる者に対しては、剥がそうとすること自体を抑止させる効果（貼り替え防止効果）も併せ持つことになる。
【００１５】
【実施例】
次に本発明を、実施例を挙げてより具体的に説明する。
＜実施例１＞
厚さが５０μｍのＰＥＴ製フィルムの一方の面上にアクリル系接着剤からなる接着層が厚さが２０μｍで設けてなるタック紙を、外形が略正方形状で、その周縁部全域が鋸刃状の形状になるように切り抜き（縦横それぞれ３０ｍｍ）、且つ、鋸刃状の外形部分の個々の刃に挟まれている谷の部分からは内方に向かって一つずつ切り込み（切り込みの深さ：３ｍｍ）を形成し、図１に示すような構成の貼り替え防止ステッカーを得た。
【００１６】
この貼り替え防止ステッカーを段ボール箱に貼り付けた後、これを剥がそうとしたところ、切り込みの一つを起点として破断が生じ、原形を崩すことなく剥がすことができなかった。
【００１７】
＜実施例２＞
実施例１で用いたタック紙を、外形が略矩形状で、その周縁部全域を鋸刃状の外形となるように切り抜き（縦３０ｍｍ、横２５ｍｍ）、且つ、鋸刃状の外形部分の個々の刃に挟まれている谷の部分から内方に向かって切れ込み（切り込みの深さ：３ｍｍ）を二つずつ形成し、図３に示すような構成の貼り替え防止ステッカーを得た。
【００１８】
この貼り替え防止ステッカーを段ボール箱の胴体とフラップの部分とに渡って貼り付けて箱を封止した後、この封止に用いたステッカーを剥がそうとしたところ、切り込みの一つを起点として破断が生じ、その一部のみが段ボール箱側から剥がれてしまい、原形を留めたまま剥がすことはできなかった。
【００１９】
【発明の効果】
本発明に係る貼り替え防止ステッカーは、以上に説明したように、周縁部の少なくとも一部が鋸刃状の形状をなし、さらに鋸刃状の形状をした周縁部の個々の刃に挟まれている谷の部分に破断用の切り込みが形成されているので、物品に貼り付けておけば、もし貼り替えるべく物品から無理矢理に剥離しようとすると破断が生じ、原形を留めたままきれいに剥離することが困難となる。従って、不正な貼り替えを行った場合には、切り込みから破断が生じ、貼り替えようとしたことが痕跡となって明確に残ることになる。そして、このような構成は概観して容易に分かるため、不正な貼り替え行為を思い止まらせるようになり、貼り替え防止方法としての実用上の効果が多いに期待される。
【図面の簡単な説明】
【図１】本発明の貼り替え防止ステッカーの一実施形態に係る概略平面構成図である。
【図２】図１に示す貼り替え防止ステッカーの一周縁部における拡大構成説明図である。
【図３】本発明の貼り替え防止ステッカーの他の実施形態に係るの概略平面構成図である。
【図４】図３に示す貼り替え防止ステッカーの一周縁部における拡大構成説明図である。
【符号の説明】
１、５・・・貼り替え防止ステッカー
２、６・・・切り込み
３、７・・・刃
４、８・・・谷
【図１】
2004317692.tif 000003
【図２】
2004317692.tif 000004
【図３】
2004317692.tif 000005
【図４】
2004317692.tif 000006